(57)【要約】      （修正有）【課題】安価で美観が良く、古来からの伝統である和風の引き戸形状を保持し、且つ、使い勝手や収納スペースの改良による品質・機能の向上を図った仏壇用基代台部開閉扉を提供する。【解決手段】仏壇の左右側板内側の正面側上下板部と左右開閉用扉３、３’の外側の上下面に扉開閉用支軸５を垂直方向に開閉扉のほぼ板厚寸法分だけ前後方向にそれぞれずらして設ける。且つ、左右開閉扉の支軸側と反対側の端部を仏壇の中央部で前後方向に所定幅寸法だけ重合させ、且つ、左右の開閉扉を固定させる為、重合側開閉扉の底面左右にマグネット等の固定部材ＭＧと、底板上面左右に固定用鉄板をそれぞれ埋設して設け、且つ、上板の下面部に左右開閉扉の段違い形状に適合した止め板４を固着して設ける。これにより、一見、和風式の引き戸に見せかけ、実際には観音開き式開閉扉とすることができる。【選択図】図２
0003162105.tif 000002
【実用新案登録請求の範囲】
【請求項１】
仏壇の基台部に設けた開閉扉において、該開閉扉は仏壇の左右側板（６）（６'）内側の正面側上下板部（７）（７'）と左右開閉扉（３）（３'）外側の上下面に扉開閉用支軸（５）（５），（５）（５）を垂直方向に開閉扉のほぼ板厚寸法分だけ前後方向にそれぞれずらして設け、且つ、左右開閉扉（３）（３'）の支軸側と反対側の端部を仏壇の中央部で前後方向に所定幅寸法だけ重合させ、且つ、左右の開閉扉を固定させる為、重合側開閉扉の底面左右にマグネット（ＭＧ）等の固定部材と、底板（７'）上面左右に固定用鉄板（８）をそれぞれ埋設して設け、且つ、上板（７）の下面部に左右開閉扉の段違い形状に適合した止め板（４）を固着して設けた事で、一見、和風式の引き戸に見せかけ、実際には観音開き式開閉扉であることを特徴とする仏壇用基台部開閉扉。
【考案の詳細な説明】
【技術分野】
【０００１】
この考案は、仏壇用基台部開閉扉に関するものである。
【背景技術】
【０００２】
古来より伝統に乗っ取り和風の仏壇の下台輪の下部（基台部）に設けた開閉用扉は引き戸が多く使用され、現在でもその伝統は引き継がれ今日に至っている。しかし、前記引き戸式開閉扉の欠点は、見かけは良いけど、収納扉が全開出来ない為、大きな物が収納出来ないという問題があった。
【０００３】
最近の仏壇は、若者の好みに合わせた、洋風なものや、家具調のもの等が市販され、開閉扉も見た目よりも、使い勝手や機能を重視した観音開きが多く見られるようになった。
【０００４】
そこで、本考案は古来からの伝統を保持しつつ、使い勝手や機能を向上した、仏壇用基台部開閉扉を早期に開発・提供することが望まれている。
【先行技術文献】
【特許文献】
【０００５】
これまでに出願されている仏壇用開閉扉に関する特許文献を参考の為、紹介する（特許文献１〜２参照）。
【特許文献１】登録実用新案第３００２６９４号
【特許文献２】登録実用新案第３１１７８０７号
【考案の概要】
【考案が解決しようとする課題】
【０００６】
そこで、上記課題を解決する為に、この考案は安価で美観が良く、古来からの伝統である和風の引き戸形状を保持し、且つ、使い勝手や収納スペースの改良による品質・機能の向上を図った仏壇用基台部開閉扉を開発・提供する事にある。
【課題を解決するための手段】
【０００７】
この課題を解決するための手段として、仏壇の左右側板内側の正面側上下板部と左右開閉扉外側の上下面に扉開閉用支軸を垂直方向に開閉扉のほぼ板厚寸法分だけ前後方向にそれぞれずらして設け、且つ、左右開閉扉の支軸側と反対側の端部を仏壇の中央部で前後方向に所定幅寸法だけ重合させ、且つ、左右の開閉扉を固定させる為、重合側開閉扉の底面左右にマグネット等の固定部材と、底板上面左右に固定用鉄板をそれぞれ埋設して設け、且つ、上板の下面部に左右開閉扉の段違い形状に適合した止め板を固着して設けた事で、一見、和風式の引き戸に見せかけ、実際には観音開き式開閉扉であることを特徴とするものである。
【考案の効果】
【０００８】
この考案の効果として、仏壇の左右側板内側の正面側上下板部と左右開閉扉外側の上下面に扉開閉用支軸を垂直方向に開閉扉のほぼ板厚寸法分だけ前後方向にそれぞれずらして設け、且つ、左右開閉扉の支軸側と反対側の端部を仏壇の中央部で前後方向に所定幅寸法だけ重合させ、且つ、左右の開閉扉を固定させる為、重合側開閉扉の底面左右にマグネット等の固定部材と、底板上面左右に固定用鉄板をそれぞれ埋設して設け、且つ、上板の下面部に左右開閉扉の段違い形状に適合した止め板を固着して設けた事で、製作時間の短縮や組立工数の削減によるコスト低減が可能となり、構造が簡単な為、安価で美観が良く、古来からの伝統である和風の引き戸形状を保持し、且つ、使い勝手や収納スペースの改良による品質・機能の向上を図る等、極めて有益なる効果を奏するものである。
【図面の簡単な説明】
【０００９】
【図１】この考案の一実施例を示し、（Ａ）は仏壇用和風引き戸風観音開き式開閉扉の正面図で、（Ｂ）は一部欠截正面図である。
【図２】この考案の一実施例を示し、図２（Ａ）は図１（Ａ）のａ−ａ矢視断面図で、（Ｂ）は図１（Ｂ）のｂ−ｂ矢視断面図である。
【図３】この考案の一実施例を示し、（Ａ）は図２（Ａ）のｃ−ｃ矢視断面図で、（Ｂ）は図２（Ａ）のｄ−ｄ矢視断面図である。
【図４】この考案の一実施例を示し、図３（Ａ）のｅ部拡大詳細断面図である。
【考案を実施するための形態】
【００１０】
この考案を実施するための形態として、仏壇の基台部に設けた開閉扉において、該開閉扉は仏壇の左右側板（６）（６'）内側の正面側上下板部（７）（７'）と左右開閉扉（３）（３'）外側の上下面に扉開閉用支軸（５）（５），（５）（５）を垂直方向に開閉扉のほぼ板厚寸法分だけ前後方向にそれぞれずらして設け、且つ、左右開閉扉（３）（３'）の支軸側と反対側の端部を仏壇の中央部で前後方向に所定幅寸法だけ重合させ、且つ、左右の開閉扉を固定させる為、重合側開閉扉の底面左右にマグネット（ＭＧ）等の固定部材と、底板（７'）上面左右に固定用鉄板（８）をそれぞれ埋設して設け、且つ、上板（７）の下面部に左右開閉扉の段違い形状に適合した止め板（４）を固着して設けた事で、一見、和風式の引き戸に見せかけ、実際には観音開き式開閉扉であることを特徴とする仏壇用基台部開閉扉から構成される。
【実施例１】
【００１１】
そこで、この考案の一実施例を図１〜図４に基づいて詳述すると、ます、仏壇の上部には須弥段（１）があって、該須弥段の下部には下台輪（２）が設けられ、且つ、該下台輪から下方は仏壇を支える為の基台設けられ、その基台部には通常、仏具等を収納する為の開閉扉が設けられている。そこで、本考案の実施例は基台部に設けた開閉扉の一例で、左右開閉扉（３）（３'）は図１（Ａ）（Ｂ）に示すように、正面から見ると一見左右に移動開閉する和風式の引き戸に見える。しかし、実際には図２（Ａ）（Ｂ）に示すように、仏壇の左右側板（６）（６'）内側の正面側上下板部（７）（７'）と左右開閉扉（３）（３'）外側の上下面に開閉用支軸（５）（５），（５）（５）を垂直方向に開閉扉のほぼ板厚寸法分だけ前後方向にそれぞれずらして設け、且つ、左右開閉扉（３）（３'）の開閉用支軸側と反対側の端部を仏壇の中央部で前後方向に所定幅寸法だけ重合させ、且つ、左右の開閉扉を固定させる為の、開閉扉の重合側の底面左右にマグネット（ＭＧ）等の固定部材と、底板（７'）上面左右に固定用鉄板（８）をそれぞれ埋設して設け、且つ、上板（７）の下面部に前後にずらした左右開閉扉の形状に適合した止め板（４）を固着して設けたことで、左右の開閉扉がそれぞれ観音開き出来るように形成したものである。
【００１２】
図３（Ａ）は、図２（Ａ）のｃ−ｃ矢視断面図を示し、左右開閉扉を固定させる為のマグネット（ＭＧ）と固定用鉄板（８）は左右開閉扉の底面側にそれぞれ設け、且つ、左右開閉扉の背面を固定させる段付切り欠き状に形成した止め板（４）は、扉の上面側に設けている。又、左右開閉扉の支軸（５）（５），（５）（５）は、図３（Ｂ）に示すように、左右開閉扉の上下面にそれぞれ埋設して、観音開きが出来るよう設けている。
【００１３】
又、図４は図３（Ａ）のｅ部拡大詳細断面図を示し、上記でも述べたように左右開閉扉中央の底面部と下板部上面部には、マグネット（ＭＧ）等の固定部材と、固定用鉄板（８）をそれぞれ埋設して設けている。但し、前記マグネット（ＭＧ）等の固定部材及び固定用鉄板（８）の埋設位置や構造や形状に関しては、これに限定することなく、用途や使用条件や製造コスト等に応じて適宜変更することが可能である。
【００１４】
上記に述べたように、開閉扉を従来の引き戸式に見せかけ、実際の開閉操作は観音開き式にすることで、開口部を広くすることが出来る為、大きな収納物（例えば仏具等）を収納することが可能と成る。
【産業上の利用可能性】
【００１５】
この考案の仏壇用基台部開閉扉は、安価で美観が良く、古来からの伝統である和風の引き戸形状を保持し、且つ、使い勝手や収納スペースの改良による品質・機能の向上を図った事で、多くの仏壇を製造・販売する関係市場に寄与する点で、産業上の利用可能性を有する。
【符号の説明】
【００１６】
１  須弥段
２  下台輪
３  左開閉扉
３'  右開閉扉
４  止め板
５  支軸
６  左側板
６'  右側板
７  上板部
７'  下板部
８  固定用鉄板
ＭＧ  マグネット等の固定部材
【図１】
0003162105.tif 000003
【図２】
0003162105.tif 000004
【図３】
0003162105.tif 000005
【図４】
0003162105.tif 000006